(57)【要約】  【課題】  表示パネル駆動回路において、黒レベルの画像を挿入する際に、回路構成を複雑にすることなく、通常の画像及び黒レベルの画像を表示する期間の微調整を可能とする。  【解決手段】  この表示パネル駆動回路は、クロック信号に同期して第１のスタートパルスをシフトさせることにより複数の信号を生成する第１のシフトレジスタ３１１と、クロック信号に同期して第２のスタートパルスをシフトさせることにより複数の信号を生成する第２のシフトレジスタ３１２と、第１のシフトレジスタの出力信号と第２のシフトレジスタの出力信号とに基づいて各ラインのトランジスタを選択的に活性化するタイミングを与える複数の信号を生成する論理回路３１６と、論理回路の出力電位をシフトさせるレベルシフト回路３２０と、レベルシフト回路の出力信号を入力して複数の駆動信号を出力する出力回路３３０とを具備する。【選択図】  図３
2006308843.tif 000002
【特許請求の範囲】
【請求項１】
表示パネルにおいて２次元マトリックス状に配列された複数のトランジスタを駆動するための表示パネル駆動回路であって、
画像の表示を開始するタイミングを与える第１のスタートパルスが印加され、クロック信号に同期して第１のスタートパルスをシフトさせることにより、表示パネルにおいて駆動されるラインを順次選択する複数の信号を生成する第１のシフトレジスタと、
黒レベルの表示を開始するタイミングを与える第２のスタートパルスが印加され、クロック信号に同期して第２のスタートパルスをシフトさせることにより、表示パネルにおいて駆動されるラインを順次選択する複数の信号を生成する第２のシフトレジスタと、
前記第１のシフトレジスタによって生成される複数の信号と前記第２のシフトレジスタによって生成される複数の信号とに基づいて、前記表示パネルにおいて配列された各ラインのトランジスタを選択的に活性化するタイミングを与える複数の信号を生成する複数の論理回路と、
前記複数の論理回路によって生成される信号の電位をそれぞれシフトさせる複数のレベルシフト回路と、
前記複数のレベルシフト回路から出力される信号を入力して、前記表示パネルに配列された各ラインのトランジスタを選択的に活性化するための複数の駆動信号をそれぞれ出力する複数の出力回路と、
を具備する表示パネル駆動回路。
【請求項２】
前記複数の論理回路の各々が、
第１の制御信号に従って、前記第１のシフトレジスタの複数の出力信号が活性化される期間を減縮した信号を生成する第１の論理回路と、
第２の制御信号に従って、前記第２のシフトレジスタの複数の出力信号が活性化される期間を減縮した信号を生成する第２の論理回路と、
前記第１の論理回路によって生成される信号と前記第２の論理回路によって生成される信号との論理和を表す信号を生成する第３の論理回路と、
を含む、請求項１記載の表示パネル駆動回路。
【請求項３】
前記表示パネルが液晶表示パネルであり、前記複数のトランジスタが薄膜トランジスタである、請求項１又は２記載の表示パネル駆動回路。
【発明の詳細な説明】
【技術分野】
【０００１】
本発明は、一般に、表示パネルを駆動するための表示パネル駆動回路に関し、特に、ＬＣＤ（Liquid Crystal Display：液晶表示）パネルに含まれている複数のＴＦＴ（Thin Film Transistor：薄膜トランジスタ）のゲートを駆動するための表示パネル駆動回路（ゲートドライバ）に関する。
【背景技術】
【０００２】
複数のＴＦＴを内蔵するタイプのＬＣＤパネルには、ＴＦＴのソースを駆動する１つ又は複数の表示パネル駆動回路（ソースドライバ）と、ＴＦＴのゲートを駆動する１つ又は複数の表示パネル駆動回路（ゲートドライバ）とが接続される。１つ又は複数のソースドライバにおいては、各ライン分の画像データがアナログの画像信号に変換され、それらの画像信号がＴＦＴのソースに供給される。
【０００３】
一方、１つ又は複数のゲートドライバは、順次選択されるラインのＴＦＴをオンさせるためのゲート電位を生成してＴＦＴのゲートに供給する。しかしながら、ＬＣＤパネルに直流電圧を印加し続けると特性が劣化するので、ＬＣＤパネルに印加される電圧の極性を周期的に反転させる必要がある。このような駆動方式を反転駆動方式という。
【０００４】
一般的には、フレーム毎に電圧の極性が反転されるフレーム反転方式と、ライン毎に電圧の極性が反転されるライン反転方式と、画素毎に電圧の極性が反転されるドット反転方式とがある。これらの駆動方式の内で、大型のＬＣＤパネルにおいては、主に、ドット反転方式又はライン反転方式が用いられている。
【０００５】
ところで、ＬＣＤパネルにおいては、表示対象物が素早く移動する高速動画を表示する際に、画像ぼけや残像感が感じられるという問題がある。この問題を解決するために、フレーム間又はフィールド間に黒レベルの画像を挿入することが行われている。
【０００６】
図７に、従来の表示パネル駆動回路における信号の波形を示す。この表示パネル駆動回路においては、ＬＣＤパネルに含まれている複数のゲートラインを３種類に分けて、負論理の３系統の出力イネーブル信号ＯＥ１バー〜ＯＥ３バーを用いて、ゲート信号のマスキングが行われる。
【０００７】
図７に示すように、スタートパルス信号ＳＰに含まれている画像表示用のスタートパルスがハイレベルになると、クロック信号ＣＬＫに含まれているパルス１、２、３、・・・に同期して、通常の画像を表示するためにゲートラインＧ１、Ｇ２、Ｇ３、・・・が順次駆動される。さらに、スタートパルス信号ＳＰに含まれている黒レベル表示用のスタートパルスがハイレベルになると、クロック信号ＣＬＫに含まれている、例えば、パルス１００、１０１、１０２、・・・に同期して、黒レベルの画像を表示するためにゲートラインＧ１、Ｇ２、Ｇ３、Ｇ４、・・・が順次駆動される。
【０００８】
ゲートラインＧ１、Ｇ４、Ｇ７、・・・を駆動するためのゲート信号を生成する際には、出力イネーブル信号ＯＥ１バーが用いられ、ゲートラインＧ２、Ｇ５、Ｇ８、・・・を駆動するためのゲート信号を生成する際には、出力イネーブル信号ＯＥ２バーが用いられ、ゲートラインＧ３、Ｇ６、Ｇ９、・・・を駆動するためのゲート信号を生成する際には、出力イネーブル信号ＯＥ３バーが用いられる。
【０００９】
具体的には、クロック信号ＣＬＫに含まれているパルス１の前半周期（Ｔ１）においてゲートラインＧ１に画像表示用のハイレベルのゲート信号を供給して第１ラインのＴＦＴをオンさせると共に、パルス１の後半周期（Ｔ２）においてゲートラインＧ１にローレベルのゲート信号を供給して第１ラインのＴＦＴをオフさせるために、出力イネーブル信号ＯＥ１バーを用いてゲート信号のマスキングが行われる。
【００１０】
さらに、クロック信号ＣＬＫに含まれているパルス１００の前半周期（Ｔ５）においてゲートラインＧ１にローレベルのゲート信号を供給して第１ラインのＴＦＴをオフさせると共に、パルス１００の後半周期（Ｔ６）においてゲートラインＧ１に黒レベル表示用のハイレベルのゲート信号を供給して第１ラインのＴＦＴをオンさせるために、出力イネーブル信号ＯＥ１バーを用いてゲート信号のマスキングが行われる。
【００１１】
また、ゲートラインＧ２においては、出力イネーブル信号ＯＥ２バーを用いてゲート信号のマスキングが行われ、ゲートラインＧ３においては、出力イネーブル信号ＯＥ３バーを用いてゲート信号のマスキングが行われる。ゲートラインＧ４においては、再び出力イネーブル信号ＯＥ１バーを用いてゲート信号のマスキングが行われる。
【００１２】
このように、３系統の出力イネーブル信号ＯＥ１バー〜ＯＥ３バーを用いてゲート信号のマスキングを行うことにより、３種類のゲートラインが繰り返し駆動されて、１フレーム期間内に通常の画像と黒レベルの画像とが表示される。しかしながら、従来の表示パネル駆動回路においては、３種類の出力イネーブル信号を用いるために、回路構成が複雑になると共に、通常の画像を表示する期間及び黒レベルの画像を表示する期間の微調整が困難であった。
【００１３】
関連する技術として、下記の特許文献１には、構造の大型化・複雑化を抑制しつつ、動画ぼけ等に起因する画質劣化を抑制することが可能な表示装置が開示されている。この表示装置によれば、１フレーム期間分の画像データにブランキングデータを挿入することにより、１フレーム期間内に画像データとブランキングデータとを表示するので、画像ぼけ等に起因する画質劣化を抑制することができる。さらに、任意の表示素子に１フレーム期間内に画像データとブランキングデータとが表示されるようにラインを選択することにより、ドレインドライバ数の増大を抑制するので、構造の大型化・複雑化を抑制することができる。しかしながら、特許文献１には、黒レベルの画像を挿入する際に、ゲートドライバの回路構成を複雑にすることなく、通常の画像を表示する期間及び黒レベルの画像を表示する期間の微調整を可能とすることに関しては開示されていない。
【００１４】
また、下記の特許文献２には、フレーム別にブラックデータ区間を指定し、そのブラックデータ区間に入力されるデータ信号によってバックライト部を制御することで、高解像度の液晶パネルを提供することのできる薄膜トランジスタ液晶表示装置およびその駆動方法が開示されている。この液晶表示装置は、１つの方向に互いに平行に設けられた複数のゲートラインと、ゲートラインの方向とは直角に互いに平行に設けられた複数のデータラインとを有するＬＣＤパネルと、ＬＣＤパネルにゲート信号を供給するゲート駆動部と、ＬＣＤパネルにデータ信号を供給するデータ駆動部と、導光板と、導光板の両側に導光板と同一平面内に設けられた少なくとも２つの光源とからなり、ＬＣＤパネルの下部に設けられたバックライトユニットとを有しており、少なくとも２つの光源が所定の時間でオン／オフを繰り返すことによって、画像ぼけを改善できる。しかしながら、特許文献２においては、バックライトをオン／オフすることにより黒レベルの画像を挿入するので、ＴＦＴの制御に関しては開示されていない。
【特許文献１】特開２００３−３６０５６号公報（第１、１３頁、図７４）
【特許文献２】特開２００３−２２８３５２号公報（第１頁、図５）
【発明の開示】
【発明が解決しようとする課題】
【００１５】
そこで、上記の点に鑑み、本発明は、表示パネルに含まれている複数のＴＦＴのゲートを駆動する表示パネル駆動回路において、黒レベルの画像を挿入する際に、回路構成を複雑にすることなく、通常の画像を表示する期間及び黒レベルの画像を表示する期間の微調整を可能とすることを目的とする。
【課題を解決するための手段】
【００１６】
以上の課題を解決するため、本発明に係る表示パネル駆動回路は、表示パネルにおいて２次元マトリックス状に配列された複数のトランジスタを駆動するための表示パネル駆動回路であって、画像の表示を開始するタイミングを与える第１のスタートパルスが印加され、クロック信号に同期して第１のスタートパルスをシフトさせることにより、表示パネルにおいて駆動されるラインを順次選択する複数の信号を生成する第１のシフトレジスタと、黒レベルの表示を開始するタイミングを与える第２のスタートパルスが印加され、クロック信号に同期して第２のスタートパルスをシフトさせることにより、表示パネルにおいて駆動されるラインを順次選択する複数の信号を生成する第２のシフトレジスタと、第１のシフトレジスタによって生成される複数の信号と第２のシフトレジスタによって生成される複数の信号とに基づいて、表示パネルにおいて配列された各ラインのトランジスタを選択的に活性化するタイミングを与える複数の信号を生成する複数の論理回路と、複数の論理回路によって生成される信号の電位をそれぞれシフトさせる複数のレベルシフト回路と、複数のレベルシフト回路から出力される信号を入力して、表示パネルに配列された各ラインのトランジスタを選択的に活性化するための複数の駆動信号をそれぞれ出力する複数の出力回路とを具備する。
【００１７】
ここで、複数の論理回路の各々が、第１の制御信号に従って、第１のシフトレジスタの複数の出力信号が活性化される期間を減縮した信号を生成する第１の論理回路と、第２の制御信号に従って、第２のシフトレジスタの複数の出力信号が活性化される期間を減縮した信号を生成する第２の論理回路と、第１の論理回路によって生成される信号と第２の論理回路によって生成される信号との論理和を表す信号を生成する第３の論理回路とを含むようにしても良い。また、表示パネルとして液晶表示パネルを用い、複数のトランジスタとして薄膜トランジスタを用いるようにしても良い。
【発明の効果】
【００１８】
本発明によれば、画像の表示のために表示パネルにおいて駆動されるラインを順次選択する複数の信号を生成する第１のシフトレジスタと、黒レベルの表示のために表示パネルにおいて駆動されるラインを順次選択する複数の信号を生成する第２のシフトレジスタとを設けたことにより、回路構成を複雑にすることなく、通常の画像を表示する期間及び黒レベルの画像を表示する期間の微調整が可能となる。
【発明を実施するための最良の形態】
【００１９】
以下、本発明を実施するための最良の形態について、図面を参照しながら詳しく説明する。以下の実施形態においては、表示パネルとして、ＬＣＤパネルを用いている。
図１に、本発明の一実施形態に係る表示パネル駆動回路とＬＣＤパネルとの接続関係を示す。ＬＣＤパネル１００においては、例えば１０２４×７６８個のドットに対応して、３０７２×７６８個のＴＦＴが２次元マトリックス状に配置されている。ここで、１個のドットには、ＲＧＢ用の３個のＴＦＴが対応している。
【００２０】
ＬＣＤパネル１００を駆動するために、これらのＴＦＴのソースを駆動する１つ又は複数の表示パネル駆動回路（ソースドライバ）２００が、ソースラインＳ１〜Ｓ３０７２に接続され、これらのＴＦＴのゲートを駆動する１つ又は複数の表示パネル駆動回路（ゲートドライバ）３００が、ゲートラインＧ１〜Ｇ７６８に接続されている。本実施形態においては、３８４個の出力を有するソースドライバを８個用いて３０７２個のＴＦＴのソースを駆動し、２５６個の出力を有するゲートドライバを３個用いて７６８個のＴＦＴのゲートを駆動するものとする。さらに、８個のソースドライバ２００及び３個のゲートドライバ３００の動作タイミングを制御するタイミングコントローラ４００が、これらのソースドライバ２００及びゲートドライバ３００に接続されている。
【００２１】
ソースドライバ２００においては、主な構成要素として、画像データ追加回路、制御回路、電源回路、ＤＡＣ（Digital to Analog Converter：ディジタル／アナログ変換器）、オペアンプの他に、入力端子及び出力端子と、ゲートドライバへの出力端子とが配置されている。
【００２２】
ソースドライバ２００は、１フレーム分の画像データ毎に黒レベルの画像を表す画像データを追加する画像データ追加回路と、画像データ追加回路から順次出力される各ライン分のＲＧＢ３種類の画像データをアナログの画像信号にそれぞれ変換する複数のＤＡＣと、それらのＤＡＣから出力される画像信号をそれぞれ増幅する複数のオペアンプと、画像データ追加回路を制御して、ＬＣＤパネルに１フレーム期間毎に黒レベルの画像を表示させる制御回路とを含んでいる。
【００２３】
ゲートドライバ３００においては、図２に示すように、主な構成要素として、画像表示用のシフトレジスタ３１１と、黒レベル表示用のシフトレジスタ３１２と、論理回路３１６と、レベルシフト回路３２０と、出力回路３３０と、入力端子及び出力端子とが配置されている。
【００２４】
ゲートドライバ３００は、ソースドライバ２００から供給されるクロック信号及び制御信号（スタートパルス信号及び出力イネーブル信号）に従って、ソースドライバ２００からＬＣＤパネル１００に供給される画像信号に対応するＬＣＤパネル１００のラインを順次選択し、ゲートラインＧ１、Ｇ２、・・・の内の選択された１つにハイレベルのゲート信号を供給する。１つのソースラインに接続されている複数のＴＦＴの内で、ゲートラインがハイレベルとなっているＴＦＴがオン状態となって、そのＴＦＴに接続されている液晶電極に画像信号が供給される。このようにして、１フレーム期間毎に黒レベルの画像を挿入しながら、ＬＣＤパネル１００に画像が表示される。
【００２５】
図３に、図２に示す２種類のシフトレジスタ及び論理回路の構成例を示す。図３には、画像表示用シフトレジスタ３１１と、黒レベル表示用シフトレジスタ３１２と、ＡＮＤ回路３１３及び３１４とＯＲ回路３１５とを含む複数の論理回路３１６とが示されている。
【００２６】
画像表示用シフトレジスタ３１１は、画像の表示を開始するタイミングを与える第１のスタートパルスを含むスタートパルス信号ＳＰ１が印加されて、クロック信号ＣＬＫに同期して第１のスタートパルスをシフトさせることにより、ＬＣＤパネル１００において駆動されるラインを順次選択する複数の信号を生成する。
【００２７】
黒レベル表示用シフトレジスタ３１２は、黒レベルの表示を開始するタイミングを与える第２のスタートパルスを含むスタートパルス信号ＳＰ２が印加されて、クロック信号ＣＬＫに同期して第２のスタートパルスをシフトさせることにより、ＬＣＤパネル１００において駆動されるラインを順次選択する複数の信号を生成する。
【００２８】
複数の論理回路３１６は、画像表示用シフトレジスタ３１１によって生成される複数の信号と黒レベル表示用シフトレジスタ３１２によって生成される複数の信号とに基づいて、ＬＣＤパネル１００において配列された各ラインのトランジスタを選択的に活性化するタイミングを与える複数の信号を生成する。
【００２９】
具体的には、各々の論理回路３１６において、ＡＮＤ回路３１３が、正論理の第１の出力イネーブル信号ＯＥ１に従って、画像表示用シフトレジスタ３１１の複数の出力信号が活性化される期間を減縮した信号を生成し、ＡＮＤ回路３１４が、正論理の第２の出力イネーブル信号ＯＥ２に従って、黒レベル表示用シフトレジスタ３１２の複数の出力信号が活性化される期間を減縮した信号を生成する。
【００３０】
さらに、ＯＲ回路３１５が、ＡＮＤ回路３１３によって生成される信号とＡＮＤ回路３１４によって生成される信号との論理和を表す信号を生成する。なお、第２の出力イネーブル信号ＯＥ２としては、第１の出力イネーブル信号ＯＥ１を反転した信号を用いることができる。
【００３１】
従来は、ＬＣＤパネルにおける画像ぼけや残像感を低減するために、ＴＦＴのゲートを駆動する表示パネル駆動回路（ゲートドライバ）において、１つのシフトレジスタと３系統の出力イネーブル信号を用いて、通常の画像及び黒レベルの画像を表示するためにゲート信号を活性化するタイミングを生成していた。
【００３２】
しかしながら、３系統の出力イネーブル信号に基づいてゲート信号を活性化するタイミングを生成する場合には、回路構成が複雑になると共に、通常の画像を表示する期間及び黒レベルの画像を表示する期間の微調整が困難であった。本発明によれば、２種類のシフトレジスタ３１１及び３１２と２系統の出力イネーブル信号を用いて、通常の画像及び黒レベルの画像を表示するためにゲート信号を活性化するタイミングを生成することにより、回路構成を複雑にすることなく、通常の画像を表示する期間及び黒レベルの画像を表示する期間の微調整が可能となる。
【００３３】
図４に、図２に示すレベルシフト回路及び出力回路の構成例を示す。表示パネル駆動回路のロジック部分は、約３．３ボルトの電源電位ＬＶＤＤ及び０ボルト（接地電位）の電源電位ＬＶＳＳが供給されて動作する。一方、ＬＣＤパネルに内蔵されているＴＦＴは、例えば、３５ボルトの電源電位ＨＶＤＤ及びマイナス１０ボルトの電源電位ＨＶＳＳが供給されて動作するので、電源電位ＬＶＤＤ〜ＬＶＳＳのロジック信号を電源電位ＨＶＤＤ〜ＨＶＳＳの駆動信号に変換する必要がある。なお、ＴＦＴの駆動電圧はＬＣＤパネル毎に異なるので、使用するＬＣＤパネルの仕様に応じて、ＨＶＤＤ及びＨＶＳＳを設定する必要がある。
【００３４】
レベルシフト回路３２０において、第１段のレベルシフト回路は、ＰチャネルＭＯＳトランジスタＱＰ１及びＱＰ２と、ＮチャネルＭＯＳトランジスタＱＮ１及びＱＮ２とによって構成され、第２段のレベルシフト回路は、ＰチャネルＭＯＳトランジスタＱＰ３及びＱＰ４と、ＮチャネルＭＯＳトランジスタＱＮ３及びＱＮ４とによって構成されている。
【００３５】
図３に示す各々の論理回路３１６によって生成される信号は、トランジスタＱＰ１のゲートと、インバータＩＮＶ１とに入力される。インバータＩＮＶ１は、入力された信号を反転させて、トランジスタＱＰ２のゲートに出力する。このようにして、第１段のレベルシフト回路は、電源電位ＬＶＤＤと電源電位ＬＶＳＳとの間で遷移する信号を入力して、電源電位ＬＶＤＤと電源電位ＨＶＳＳとの間で遷移する信号を生成する。さらに、第２段のレベルシフト回路は、第１段のレベルシフト回路によって生成された信号を入力して、電源電位ＨＶＤＤと電源電位ＨＶＳＳとの間で遷移する信号を生成する。
【００３６】
図５に、図４に示すレベルシフト回路における信号の電位を示す。第１段のレベルシフト回路は、電源電位ＬＶＤＤと電源電位ＨＶＳＳとが供給されて、電源電位ＬＶＤＤと電源電位ＬＶＳＳとの間で変移する信号(ａ)のローレベルを電源電位ＨＶＳＳにシフトさせて、信号（ｂ）を生成する。さらに、第２段のレベルシフト回路は、信号（ｂ）のハイレベルを電源電位ＨＶＤＤにシフトさせて、信号（ｃ）を生成する。
【００３７】
再び図４を参照すると、それぞれのレベルシフト回路３２０から出力される信号（図５の（ｃ）に示す）は、それぞれの出力回路３３０に入力される。各々の出力回路３３０は、電源電位ＨＶＤＤと電源電位ＨＶＳＳとの間に直列に接続されたＰチャネルＭＯＳトランジスタＱＰ５及びＮチャネルＭＯＳトランジスタＱＮ５によって構成される第１のインバータと、電源電位ＨＶＤＤと電源電位ＨＶＳＳとの間に直列に接続されたＰチャネルＭＯＳトランジスタＱＰ６及びＮチャネルＭＯＳトランジスタＱＮ６によって構成される第２のインバータとを有しており、表示パネルに配列された各ラインのトランジスタを選択的に活性化するための駆動信号を出力する。
【００３８】
図６に、本発明の一実施形態に係る表示パネル駆動回路における信号の波形を示す。
図３に示すシフトレジスタ３１１には、図６に示すクロック信号ＣＬＫ及びスタートパルス信号ＳＰ１が入力され、図３に示すシフトレジスタ３１２には、図６に示すクロック信号ＣＬＫ及びスタートパルス信号ＳＰ２が入力される。シフトレジスタ３１１及び３１２は、スタートパルス信号ＳＰ１及びＳＰ２に含まれているスタートパルスが印加されると、クロック信号ＣＬＫに同期してスタートパルスをシフトさせることにより、ＬＣＤパネル１００において駆動されるラインを順次選択する複数の信号を生成する。
【００３９】
図６を参照すると、クロック信号ＣＬＫに含まれているパルス１の前半周期（Ｔ１）においてゲートラインＧ１に画像表示用のハイレベルのゲート信号を供給して第１ラインのＴＦＴをオンさせると共に、パルス１の後半周期（Ｔ２）においてゲートラインＧ１にローレベルのゲート信号を供給して第１ラインのＴＦＴをオフさせるために、出力イネーブル信号ＯＥ１を用いてゲート信号のマスキングが行われる。
【００４０】
さらに、クロック信号ＣＬＫに含まれているパルス１０１の前半周期（Ｔ５）においてゲートラインＧ１にローレベルのゲート信号を供給して第１ラインのＴＦＴをオフさせると共に、パルス１０１の後半周期（Ｔ６）においてゲートラインＧ１に黒レベル表示用のハイレベルのゲート信号を供給して第１ラインのＴＦＴをオンさせるために、出力イネーブル信号ＯＥ２を用いてゲート信号のマスキングが行われる。
【００４１】
他のゲートラインＧ２、Ｇ１０１、Ｇ１０２についても同様であり、画像表示用のゲート信号が活性化される期間は出力イネーブル信号ＯＥ１によって規定され、黒レベル表示用のゲート信号が活性化される期間は出力イネーブル信号ＯＥ２によって規定される。このような動作が全てのゲートライン（ここでは、ゲートラインＧ１〜Ｇ１３２とする）について行われる。また、通常の画像を表示する期間及び黒レベルの画像を表示する期間は、ＬＣＤパネルの表示性能等に基づいて任意に設定できる。
【図面の簡単な説明】
【００４２】
【図１】本発明の一実施形態に係る表示パネル駆動回路の接続関係を示す図。
【図２】図１に示すゲートドライバの構成要素を示す図。
【図３】図２に示す２種類のシフトレジスタ及び論理回路の構成例を示す図。
【図４】図２に示すレベルシフト回路及び出力回路の構成例を示す図。
【図５】図４に示すレベルシフト回路における信号の電位を示す図。
【図６】本発明の一実施形態に係る表示パネル駆動回路における信号の波形を示す図。
【図７】従来の表示パネル駆動回路における信号の波形を示す図。
【符号の説明】
【００４３】
１００  ＬＣＤパネル、  ２００  ソースドライバ、  ３００  ゲートドライバ、  ３１１、３１２  シフトレジスタ、  ３１３、３１４  ＡＮＤ回路、  ３１５  ＯＲ回路、３２０  レベルシフト回路、  ３３０  出力回路、４００  タイミングコントローラ、  Ｓ１〜Ｓ３０７２  ソースライン、  Ｇ１〜Ｇ７６８  ゲートライン、  ＱＰ１〜ＱＰ６  Ｐチャネルトランジスタ、  ＱＮ１〜ＱＮ６  Ｎチャネルトランジスタ、  ＩＮＶ１  インバータ
【図１】
2006308843.tif 000003
【図２】
2006308843.tif 000004
【図３】
2006308843.tif 000005
【図４】
2006308843.tif 000006
【図５】
2006308843.tif 000007
【図６】
2006308843.tif 000008
【図７】
2006308843.tif 000009